(57)【要約】      （修正有）【課題】様々な取付け開孔サイズに適合できる埋め込み取付け式ランプを提供する。【解決手段】埋め込み取付け式ランプは、ボディ１と、ボディの裏面に設けられる複数のガイドレール２と、天井の開孔に埋め込み、天井の裏面に掛着する複数のフローティングアーム３とを含み、各ガイドレールの長さ方向の軸線はいずれもボディの中心を通過し、複数のフローティングアームは複数のガイドレールと一対一で対応し、且つそれぞれガイドレールの長さ方向にガイドレールに摺動して接続される。複数のフローティングアームのピッチを調整でき、複数のフローティングアームは異なる開孔サイズの天井に適合して掛着できる。これにより、一つのランプは様々な開孔サイズに適合して埋め込んで取り付けることが実現される。【選択図】図１
0003230274.tif 000002
【実用新案登録請求の範囲】
【請求項１】
ボディと、
複数のガイドレールであって、前記ボディの裏面に設けられ、各前記ガイドレールの長さ方向の軸線はいずれも前記ボディの中心を通過する複数のガイドレールと、
天井の開孔に埋め込み、前記天井の裏面に掛着するように構成される複数のフローティングアームであって、複数の前記ガイドレールと一対一で対応し、且つそれぞれ前記ガイドレールの長さ方向に前記ガイドレールに摺動して接続される複数のフローティングアームとを含むことを特徴とする埋め込み取付け式ランプ。
【請求項２】
各前記フローティングアームは、
前記ガイドレールに摺動して接続されるスライドスリーブと、
前記スライドスリーブに接続され、前記天井の裏面に掛着するように構成される板スプリングとを含むことを特徴とする請求項１に記載の埋め込み取付け式ランプ。
【請求項３】
前記ガイドレールにはその長さ方向に延在するスライド溝が設けられ、前記スライド溝の延在方向に間隔を開けて複数の係止位置が設けられ、前記スライドスリーブに位置決めアセンブリが設けられ、前記位置決めアセンブリは１つの前記係止位置に係合されるロック状態を有し、前記スライド溝内に摺動する自由状態をも有することを特徴とする請求項２に記載の埋め込み取付け式ランプ。
【請求項４】
前記位置決めアセンブリは、
前記スライドスリーブの上面に固定して接続するように構成される固定スリーブと、
前記固定スリーブの軸線方向に前記固定スリーブに摺動して接続される伸縮スリーブとを含み、前記伸縮スリーブの片端は前記固定スリーブに通して上向きに延出し、他端に係止台が設けられ、前記係止台は前記係止位置に係合するように構成されることを特徴とする請求項３に記載の埋め込み取付け式ランプ。
【請求項５】
前記伸縮スリーブの外径又は外接円の直径は前記スライド溝の溝幅より小さく、前記係止台の直径又は外接円の直径は前記固定スリーブの内径又は内接円の直径より大きいことを特徴とする請求項４に記載の埋め込み取付け式ランプ。
【請求項６】
前記伸縮スリーブの片端が閉鎖され、前記伸縮スリーブの内部にばねが設けられ、前記ばねの片端は前記伸縮スリーブの閉鎖端に当接し、他端は下向きに前記スライドスリーブに挿通し且つ前記スライドスリーブの下壁に当接することを特徴とする請求項５に記載の埋め込み取付け式ランプ。
【請求項７】
前記スライドスリーブにポインタが設けられ、前記ボディの裏面には前記ガイドレールの長さ方向に目盛りが設けられることを特徴とする請求項２〜６のいずれか１項に記載の埋め込み取付け式ランプ。
【請求項８】
前記スライドスリーブの上面に支持部品が設けられ、前記板スプリングは前記支持部品に固定して接続されることを特徴とする請求項２〜６のいずれか１項に記載の埋め込み取付け式ランプ。
【請求項９】
前記支持部品は、前記スライドスリーブの上面に設けられるサポートスリーブと、
前記サポートスリーブに対して回転して接続されるローターとを含み、前記板スプリングは前記ローターに固定して接続されることを特徴とする請求項８に記載の埋め込み取付け式ランプ。
【請求項１０】
前記サポートスリーブの内壁及び前記ローターの外壁はいずれも表面が粗化された構造であることを特徴とする請求項９に記載の埋め込み取付け式ランプ。
【考案の詳細な説明】
【技術分野】
【０００１】
本考案は、ランプ取付け技術の分野に関し、詳しく言えば、埋め込み取付け式ランプに関する。
【背景技術】
【０００２】
埋め込み取付け式ランプは取付け後に、外観が美しく、整然としているから、売上げが増え続ける。しかしながら、本考案を実現する過程で、考案者は従来技術に少なくとも次の問題点があることを発見した。従来の埋め込み取付け式ランプは、一般に、一つのランプが１種の取付け開孔サイズだけに適合し、取り付ける位置の開孔サイズに対応してランプを購入して取り付けるようにしなければならないので、ランプを使用する上で柔軟性が不十分であり、ランプの適用範囲が制限される。取付け時のニーズを満たすために、販売者は開孔サイズ別に多くの種類のランプの在庫を保有する必要があり、在庫管理が難しく、大量の資金が必要である。
【考案の概要】
【考案が解決しようとする課題】
【０００３】
本考案の目的は、埋め込み取付け式ランプは取付けに柔軟性が悪く、在庫管理が難しいという従来技術の問題点を解決するために、埋め込み取付け式ランプを提供することである。
【課題を解決するための手段】
【０００４】
本考案で上記の目的を達成するために採用する技術的解決手段は以下のとおりである。埋め込み取付け式ランプであって、ボディと、ボディの裏面に設けられる複数のガイドレールと、天井の開孔に埋め込み、天井の裏面に掛着するように構成される複数のフローティングアームとを含み、各ガイドレールの長さ方向の軸線はいずれもボディの中心を通過し、複数のフローティングアームは複数のガイドレールと一対一で対応し、且つそれぞれガイドレールの長さ方向にガイドレールに摺動して接続される。
【０００５】
本願の別の実施例によれば、各フローティングアームは、ガイドレールに嵌設され且つガイドレールに摺動して接続されるスライドスリーブと、天井の裏面に掛着するように構成される板スプリングとを含み、板スプリングはスライドスリーブに接続される。
【０００６】
本願の別の実施例によれば、ガイドレールにはその長さ方向に延在するスライド溝が設けられ、スライド溝の延在方向に間隔を開けて複数の係止位置が設けられ、スライドスリーブに位置決めアセンブリが設けられ、位置決めアセンブリは１つの係止位置に係合されるロック状態を有し、スライド溝内に摺動する自由状態をも有する。
【０００７】
本願の別の実施例によれば、位置決めアセンブリは、スライドスリーブの上面に固定して接続するように構成される固定スリーブと、固定スリーブの軸線方向に固定スリーブに摺動して接続される伸縮スリーブとを含み、伸縮スリーブの片端は固定スリーブに通して上向きに延出し、他端に係止台が設けられ、係止台は係止位置に係合するように構成される。
【０００８】
本願の別の実施例によれば、伸縮スリーブの外径又は外接円の直径はスライド溝の溝幅より小さく、係止台の直径又は外接円の直径は固定スリーブの内径又は内接円の直径より大きい。
【０００９】
本願の別の実施例によれば、伸縮スリーブの片端が閉鎖され、伸縮スリーブの内部にばねが設けられ、ばねの片端は伸縮スリーブの閉鎖端に当接し、他端が下向きにスライドスリーブに挿通し且つスライドスリーブの下壁に当接する。
【００１０】
本願の別の実施例によれば、スライドスリーブにポインタが設けられ、ボディの裏面にはガイドレールの長さ方向に目盛りが設けられる。
【００１１】
本願の別の実施例によれば、スライドスリーブの上面に支持部品が設けられ、板スプリングは支持部品に固定して接続される。
【００１２】
本願の別の実施例によれば、支持部品は、スライドスリーブの上面に設けられるサポートスリーブと、サポートスリーブに対して回転して接続されるローターとを含み、板スプリングはローターに固定して接続される。
【００１３】
本願の別の実施例によれば、サポートスリーブの内壁及びローターの外壁はいずれも表面が粗化された構造である。
【考案の効果】
【００１４】
本考案に係る埋め込み取付け式ランプは次の有益な効果を有する。従来の技術と比べると、本考案の埋め込み取付け式ランプは、ボディの裏面に複数のガイドレールが設けられ、複数のガイドレールと一対一で対応し且つ摺動して接続される複数のフローティングアームは天井の開孔に埋め込み、天井の裏面に掛着するように構成され、各ガイドレールは長さ方向の軸線がいずれもボディの中心を通過し、これによって複数のフローティングアームが天井に掛着された後、ボディの傾斜が避けられ、ボディに作用する力はバランスが取れ、安定した状態で埋め込んで取り付けられ、信頼性が高い。
各フローティングアームのガイドレールにおける位置を変えることで、各フローティングアームのピッチを調整でき、複数のフローティングアームは異なる開孔サイズの天井に適合して掛着できる。これによって、一つのランプは様々な開孔サイズに適合して埋め込んで取り付けることが実現され、ランプの取付けに柔軟性が保たれ、適用範囲が広い。
また、一つのランプは様々な取付け開孔サイズに適合できるため、在庫ランプの種類が減り、在庫量が減少し管理がさほど難しいものでなくなり、資金繰りが順調に行われるようになる。
【図面の簡単な説明】
【００１５】
次に、本考案の実施例の技術的解決手段の一層明瞭な説明のために、実施例又は従来技術の説明に使用する図面を簡単に説明する。言うまでもないが、次に説明される図面は本考案のいくつかの実施例に過ぎず、当業者が進歩性のある作業をすることなく、これらの図面から別の図面を得ることができる。
【００１６】
【図１】図１は、本考案の実施例に係る埋め込み取付け式ランプの構造模式図である。
【図２】図２は、本考案の実施例に係る埋め込み取付け式ランプの分解構造模式図である。
【図３】図３は、本考案の実施例が採用するフローティングアームの断面構造模式図である。
【図４】図４は、本考案の実施例が採用する位置決めアセンブリの斜視構造模式図である。
【００１７】
図中、１...ボディ、２...ガイドレール、２０...スライド溝、２０１...係止位置、３...フローティングアーム、３１...スライドスリーブ、３１１...位置決めアセンブリ、３１１０...係止台、３１１１...伸縮スリーブ、３１１２...固定スリーブ、３１１３...ばね、３１２...支持部品、３１２１...サポートスリーブ、３１２２...ローター、３２...板スプリング。
【考案を実施するための形態】
【００１８】
本考案が解決しようとする課題、技術的解決手段及び有益な効果が一層明瞭で分かりやすくなるように、次に図面及び実施例を用いて、本考案を一層詳細に説明する。なお、ここで説明される特定の実施例は本考案を解釈するためのものに過ぎず、本考案を限定するためのものではない。
【００１９】
図１を参照して、本考案に係る埋め込み取付け式ランプを説明する。前記埋め込み取付け式ランプは、ボディ１と、ボディ１の裏面に設けられる複数のガイドレール２と、天井の開孔に埋め込み、天井の裏面に掛着するように構成される複数のフローティングアーム３とを含み、各ガイドレール２の長さ方向の軸線はいずれもボディ１の中心を通過し、複数のフローティングアーム３は複数のガイドレール２と一対一で対応し、且つそれぞれガイドレール２の長さ方向にガイドレール２に摺動して接続される。
【００２０】
本考案に係る埋め込み取付け式ランプは次の方法で取り付けられる。天井の開孔サイズに応じて、ガイドレール２の長さ方向に各フローティングアーム３を摺動して、各フローティングアーム３のピッチが開孔サイズに適合するように調整し、且つボディ１が安定して取り付けられるように、各フローティングアーム３が所定の位置に調整されると、各フローティングアーム３はボディ１の中心に対するピッチが同じである位置とすべきであり、次に複数のフローティングアーム３を天井の開孔に通し且つ複数のフローティングアーム３を天井の裏面に掛着することによって、ボディ１を天井に埋め込んで取り付ける。
【００２１】
本考案に係る埋め込み取付け式ランプは、従来の技術と比べると、ボディ１の裏面に複数のガイドレール２が設けられ、複数のガイドレール２と一対一で対応し且つ摺動して接続される複数のフローティングアーム３は天井の開孔に埋め込み、天井の裏面に掛着するように構成され、各ガイドレール２の長さ方向の軸線はいずれもボディ１の中心を通過し、これによって複数のフローティングアーム３が天井に掛着された後、ボディ１に作用する力はバランスが取れ、安定した状態で埋め込んで取り付けられ、信頼性が高い。
各フローティングアーム３のガイドレール２における位置を変えることで、各フローティングアーム３のピッチを調整でき、複数のフローティングアーム３は異なる開孔サイズの天井に適合して掛着できる。これによって、一つのランプは様々な開孔サイズに適合して埋め込んで取り付けることが実現され、ランプの取付けに柔軟性が保たれ、適用範囲が広い。
また、一つのランプは様々な取付け開孔サイズに適合できるため、在庫ランプの種類が減り、在庫量が減少し管理がさほど難しいものでなくなり、資金繰りが順調に行われるようになる。
【００２２】
本考案に係る埋め込み取付け式ランプの特定の実施形態によれば、図１及び図２が参照されるとおり、各フローティングアーム３は、ガイドレール２に摺動して接続されるスライドスリーブ３１と、天井の裏面に掛着するように構成される板スプリング３２とを含み、板スプリング３２はスライドスリーブ３１に接続される。板スプリング３２によって天井の裏面に掛着するので、構造がシンプルであり、操作しやすい。
【００２３】
本実施例によれば、フローティングアーム３が天井の開孔に進入した後、板スプリング３２の弾性力を利用して、板スプリング３２がボディ１の裏面と共に天井を把持することで、ボディ１の裏面が天井の外面に密着し、ランプは安定した状態で埋め込んで取り付けられ、隙間が残されない。
【００２４】
本考案の実施例の特定の実施形態によれば、図１及び図２が参照されるとおり、ガイドレール２にはその長さ方向に延在するスライド溝２０が設けられ、スライド溝２０の延在方向に間隔を開けて複数の係止位置２０１が設けられ、スライドスリーブ３１に位置決めアセンブリ３１１が設けられ、位置決めアセンブリ３１１は１つの係止位置２０１に係合されるロック状態を有し、スライド溝２０内に摺動する自由状態をも有する。
【００２５】
天井の開孔サイズに応じて、フローティングアーム３を適切な位置に摺動した後、位置決めアセンブリ３１１が対応の位置の係止位置２０１に係合することによって、フローティングアーム３を位置決めして固定する。ランプを取り付ける過程で、取付けを完了した後にフローティングアーム３が位置ずれしたことが避けられ、ボディ１が安定した状態で確実に固定されることとなり、且つ操作しやすい。
【００２６】
本実施例によれば、図２が参照されるとおり、スライド溝２０はガイドレール２の長さ方向に設けられる長尺孔であり、長尺孔の長さ方向にいずれも間隔を開けて複数の係止位置２０１が設けられ、これによってスライドスリーブ３１の位置決めが実現され、構造がシンプルであり、加工しやすい。
【００２７】
なお、本実施例によれば、図１が参照されるとおり、ガイドレール２とボディ１の裏面との間に隙間があり、スライドスリーブ３１がガイドレール２に嵌設して摺動して接続されることが実現されるとともに、スライドスリーブ３１が運動するとボディ１の裏面に干渉することが避けられる。一方で、スライドスリーブ３１がガイドレール２に摺動して接続されることが実現され、他方で、スライドスリーブ３１がガイドレール２に嵌設されることで、スライドスリーブ３１がガイドレール２から外れてボディ１が脱落するような状況は避けられ、構造がシンプルであり、信頼性が高い。
【００２８】
本考案の実施例の特定の実施形態によれば、図２〜図４が参照されるとおり、位置決めアセンブリ３１１は、スライドスリーブ３１の上面に固定して接続するように構成される固定スリーブ３１１２と、固定スリーブ３１１２の軸線方向に固定スリーブ３１１２に摺動して接続される伸縮スリーブ３１１１とを含み、伸縮スリーブ３１１１の片端は固定スリーブ３１１２に通しして上向きに延出し、他端に係止台３１１０が設けられ、係止台３１１０は係止位置２０１に係合するように構成される。
【００２９】
天井の開孔に応じて２つのフローティングアーム３のピッチを調整する時、伸縮スリーブ３１１１を固定スリーブ３１１２の軸線に沿って下向きに摺動して、伸縮スリーブ３１１１がスライド溝２０内に摺動し、フローティングアーム３が適切な位置に移動したら、伸縮スリーブ３１１１を上向きに摺動して、係止台３１１０を対応の位置の係止位置２０１に係合させて、スライドスリーブ３１を位置決めして固定し、フローティングアーム３は所定の位置に保持され、２つのフローティングアーム３が天井の裏面に確実に掛着されるようになり、フローティングアーム３は調整しやすく、位置決めに信頼性が高い。
【００３０】
本実施例によれば、なお、伸縮スリーブ３１１１、固定スリーブ３１１２は円筒形であることが好ましいが、円筒形に限定されるものではなく、伸縮スリーブ３１１１が固定スリーブ３１１２内に摺動することができれば、任意の多角形であってもよく、伸縮スリーブ３１１１の外径又は外接円の直径はスライド溝２０の溝幅より小さく、係止台３１１０の直径又は外接円の直径は固定スリーブ３１１２の内径又は内接円の直径より大きい。これによって、伸縮スリーブ３１１１がスライド溝２０内に順調に摺動できるとともに、伸縮スリーブ３１１１が固定スリーブ３１１２から脱落することが避けられる。
【００３１】
本考案の実施例の特定の実施形態によれば、図３及び図４が参照されるとおり、伸縮スリーブ３１１１は片端が閉鎖され、伸縮スリーブ３１１１の内部にばね３１１３が設けられ、ばね３１１３の片端は伸縮スリーブ３１１１の閉鎖端に当接し、他端が下向きにスライドスリーブ３１に挿通し且つスライドスリーブ３１の下壁に当接する。伸縮スリーブ３１１１内のばね３１１３によって伸縮スリーブ３１１１に上向きの弾性力を加えることで、伸縮スリーブ３１１１が係止位置２０１から滑り落ちることが避けられ、係止台３１１０は安定した状態で係止位置２０１に係合されるよう保持される。フローティングアーム３の位置を調整したい時は、伸縮スリーブ３１１１の上端を押圧し、ばね３１１３の弾性力を克服して、係止台３１１０を係止位置２０１から外せばスライドスリーブ３１はスライド溝２０に摺動でき、所定の位置に摺動したら、伸縮スリーブ３１１１の押圧を解除すれば、伸縮スリーブ３１１１は自動的に上向きに摺動し、係止台３１１０が対応の係止位置２０１に係合され、操作しやすく、信頼性が高い。
【００３２】
本考案の実施例の特定の実施形態によれば、図１が参照されるとおり、スライドスリーブ３１にポインタが設けられ、ボディ１の裏面にはガイドレール２の長さ方向に目盛りが設けられる。フローティングアーム３を移動させる時、ポインタに対応する目盛り位置によって、２つのフローティングアーム３がガイドレール２の幅方向の軸線に対し対称な位置に調整されるよう保証され、２つのフローティングアーム３に作用する力はバランスが取れ、ボディ１が確実に固定されるよう保証される。また、天井の開孔サイズに応じて、２つのポインタを天井の開孔サイズに対応する目盛り位置に調整すれば、２つのフローティングアーム３は正確な位置に容易に移動するよう保証される。
【００３３】
本考案の実施例の特定の実施形態によれば、図１及び図２が参照されるとおり、スライドスリーブ３１の上面に支持部品３１２が設けられ、板スプリング３２は支持部品３１２に固定して接続される。一方で、板スプリング３２の取り付け及び固定が容易になり、他方で、板スプリング３２が天井の裏面に進入して掛着されやすくなる。
【００３４】
本考案の実施例の特定の実施形態によれば、図１及び図２が参照されるとおり、支持部品３１２は、スライドスリーブ３１の上面に設けられるサポートスリーブ３１２１と、サポートスリーブ３１２１に対して回転して接続されるローター３１２２とを含み、板スプリング３２はローター３１２２に固定して接続される。ローター３１２２がサポートスリーブ３１２１に対して回転することで、ガイドレール２の軸線に対する板スプリング３２の軸線の角度を調整でき、板スプリング３２はボディ１の裏面の範囲でその内部の位置に回転できる。一方で、埋め込んで取り付けやすくなり、他方で包装及び輸送も容易になる。
【００３５】
本実施例によれば、サポートスリーブ３１２１の内壁及びローター３１２２の外壁はいずれも表面が粗化された構造である。これによって、ローター３１２２とサポートスリーブ３１２１との間に十分な摩擦力があり、ローター３１２２が固定スリーブ３１１２に対して自由に回転することが避けられ、２つの板スプリング３２が天井の裏面に確実に掛着されるよう保証され、ボディ１が脱落する恐れがなくなる。
【００３６】
上述した内容は本考案の好ましい実施例に過ぎず、これをもって本考案が限定されるものではない。本考案の趣旨から逸脱することなく修正、同等な差し替えや改良等が行われる場合は、そのいずれも本考案の保護範囲に含まれる。
【図１】
0003230274.tif 000003
【図２】
0003230274.tif 000004
【図３】
0003230274.tif 000005
【図４】
0003230274.tif 000006